(57)【要約】      （修正有）【課題】バッグ等の内部に清潔感を与え、かつ、携帯用通信機器等の美化にも活用することができる芳香剤等の携帯用容器を提供する。【解決手段】昇華性の高い固体、又は揮発性の液体を浸透させた部材を収納する、芳香剤等の携帯用容器１であって、通気手段１１を備え、該容器１の１又は複数の外側面が平面状に構成され、平面状に構成された外側面に、コンピュータのディスプレイや携帯通信機器の画面の汚れを拭き取るクリーナー面２３が備えられ、また、該容器１の外側に、孔部を有するタブが備えられているように構成する。【選択図】図３
0003205892.tif 000002
【実用新案登録請求の範囲】
【請求項１】
昇華性の高い固体、又は揮発性の液体を浸透させた部材を収納する、芳香剤等の携帯用容器であって、
前記容器は、通気手段を備え、
前記容器は該容器の１又は複数の外側面が平面状に構成され、
前記平面状に構成された外側面に、コンピュータのディスプレイや携帯通信機器の画面の汚れを拭き取るクリーナーが備えられていることを特徴とする携帯用容器。
【請求項２】
請求項１に記載の携帯用容器において、
前記容器の外側に、孔部を有するタブが備えられていることを特徴とする携帯用容器。
【考案の詳細な説明】
【技術分野】
【０００１】
本考案は、芳香剤、防黴剤、防虫剤などを収納する、クリーナー付携帯用芳香剤容器に関する。
【背景技術】
【０００２】
中高生や大学生などの若年層は、一つのバッグやリュックサックなどに、学業に使用する品々だけでなく、運動用具や、食品、飲料なども一緒に入れて持ち運ぶ場合が多い。そのようなときに、書籍やノート、文房具などににおいが移ってしまうことがあるという問題があった。
【０００３】
このため、近年では、上述したような問題点を解決するために、携帯電話機に接続されて使用される装置であって、ほぼ筒状をなし基端部に開口部を有し先端部に閉塞部を有する外側容器と、前記外側容器の内側であって前記閉塞部の近傍に形成され、芳香発生液が含まれる含液材が配設される含液材配設部と、前記外側容器のうちの前記含液材配設部の近傍に形成された芳香流出孔部と、ほぼ筒状をなし弾性的に圧縮可能なジャバラ部を有し、基端部に底部を有し、芳香発生液が収容される内側容器と、前記内側容器の先端部に形成され、前記外側容器の前記含液材配設部の近傍に対して連結されるとともに、当該内側容器の内部と前記含液材配設部とを連通状態とする連結部とを有する、携帯電話機用の芳香発生装置が知られている（特許文献１等参照）。
【０００４】
すなわち、従来この種の携帯電話機用の芳香発生装置において、特許文献１の携帯電話機用の芳香発生装置では、長期間にわたって芳香を発生させることを可能にするようにしていた。
【先行技術文献】
【特許文献】
【０００５】
【特許文献１】特開２００４−３４３４７８公報
【考案の概要】
【考案が解決しようとする課題】
【０００６】
しかし、上述した従来の携帯電話機用の芳香発生装置では、携帯電話が長時間芳香を発するという機能のみしか有しておらず、携帯電話をバッグ等に入れて持ち運ばないときには、バッグ内に芳香を浸透させることができず、また、携帯電話のみならず、スマートディバイスが普及している状況に鑑み、スマートディバイスへの付加価値を加えるものではなかった。その上、ストラップホールを備えていないスマートディバイスには装着することができないという問題があった。
【０００７】
本考案はこのような事情に鑑みてなされたものであり、バッグ等の内部に清潔感を与え、かつ、携帯用通信機器等の美化にも活用することができる芳香剤等の携帯用容器を得ることを目的とする。
【課題を解決するための手段】
【０００８】
このような目的に応えるために本考案（請求項１記載の考案）に係る携帯用容器は、昇華性の高い固体、又は揮発性の液体を浸透させた部材を収納する、芳香剤等の携帯用容器であって、前記容器は、通気手段を備え、前記容器は該容器の１又は複数の外側面が平面状に構成され、前記平面状に構成された外側面に、コンピュータのディスプレイや携帯通信機器の画面の汚れを拭き取るクリーナーが備えられていることを特徴とする。
【０００９】
このように構成することにより、携帯用容器の用途によって、内部に芳香剤、防黴剤、消臭剤等を収納して、バッグ等に入れて持ち運ぶことにより、バッグ等に芳香を帯びさせたり、バッグの内容物に防黴効果を施したり、バッグ等内部の臭気を除去したりすることができる。
【００１０】
また、バッグ等に収納したり、ポケットに入れて持ち歩いたりする、携帯用通信機器のディスプレイ画面の汚れを拭ったり、学校やオフィスのパソコンのディスプレイ画面の汚れを拭ったりすることができる。
【００１１】
さらに、クリーナーの素材となる布状部材に、キャラクターなどを印刷することで、携帯用容器の美観を増すことができるという効果もある。
【００１２】
本考案（請求項２記載の考案）に係る携帯用容器は、請求項１に記載の携帯用容器において、前記容器の外側に、孔部を有するタブが備えられていることを特徴とする。
【００１３】
このように構成することにより、前記求項１に記載の携帯用容器において、前記タブの孔部にストラップ等を装着することにより、把持しやすくなって、バッグ等の中を見ずに取り出すときなどに便利であり、また、前記孔部に吸盤を備える部材を挿入して、パソコンのディスプレイ等の平坦な面に吸着させて、芳香を漂わせる等しながら、手軽にディスプレイ画面を拭うことができる。
【考案の効果】
【００１４】
以上説明したように、本考案に係る携帯用容器によれば、バッグ等の中に芳香を漂わせたり、黴を防止したり、臭気を除去したりすることができる。
【００１５】
また、本考案によれば、携帯用容器を携帯用通信機器やパソコンの画面クリーナーとしても活用することができる。
【図面の簡単な説明】
【００１６】
【図１】本考案に係る携帯用容器の第一の実施形態を示し、携帯用容器を閉じた状態と、開いた状態の斜視図である。
【図２】図１の携帯用容器に芳香剤を浸透させた部材を装着した状態の斜視図である。
【図３】図１の携帯用容器のクリーナー面側の斜視図である。
【図４】本考案に係る携帯用容器の第二の実施形態を示し、タブにストラップを装着した状態の斜視図である。
【図５】本考案に係る携帯用容器の第二の実施形態を示し、タブに吸着部材を装着した状態の拡大図である。
【図６】図５の携帯用容器をパソコンのディスプレイ画面に吸着した状態の正面図である。
【考案を実施するための形態】
【実施例１】
【００１７】
図１ないし図３は本考案に係る携帯用容器の一実施形態を示すものであり、これらの図において、全体を符号１で示すものは本発明を特徴づける携帯端末保護具である。
【００１８】
図１においてこれを簡単に説明すると、符号１は携帯用容器として、プラスティック素材からなり、蓋部１０と収納部２０とからなる。前記蓋部１０には、通気口１１を備える。前記収納部２０には、内部に昇華性の高い固体、又は揮発性の液体を浸透させた部材を収納するための係止爪を備える。ここで（ａ）は前記収納部２０に前記蓋部１０を被せた状態、（ｂ）は前記収納部２０から前記蓋部１０を取り外した状態の図である。
【００１９】
図２において、前記係止爪２１に液体吸収シート３０を係止した状態を示す。前記蓋部１０と前期収納部２０は、蓋部内側側面１３と収納部外側側面２２とに係止具を設けて係止したり、ネジを設けて螺設するなどして、容易に外れないように構成する。前記液体吸収シート３０に、揮発性の芳香剤を浸透させ、揮発した芳香剤は、通気口１１から携帯用容器外へと蒸散する。
【００２０】
図３において、（ａ）は前記携帯用容器１を、前記蓋部１０側から見た斜視図であり、（ｂ）は前記携帯用容器１を、前記収納部２０側から見た斜視図で、前記収納部の外側に、クリーナー面２３が設けられている。前記クリーナー面は、起毛素材からなり、スマートフォン、タブレットコンピューターなどのディスプレイ画面の汚れを拭いとることができる。
【００２１】
図４ないし図６は本考案に係る携帯用容器の他の実施形態を示すものであり、これらの図において、全体を符号２で示すものは本発明を特徴づける携帯端末保護具である。
【実施例２】
【００２２】
図４においては、携帯用容器２の蓋部外側側面１２に、タブ４０を設け、前記タブ４０は、孔部４１を備える。前記孔部４１にストラップ５０のストリング５１を通して固定する。これにより、バッグ等に入れておいて、手探りで探す場合に、ストラップ５０が章着されていない状態より、発見しやすく、取り出しやすくもなる。
【００２３】
図５においては、前記タブ４０の前記孔部４１に、弾性を有する樹脂製の吸着部材６０の係止部６１を嵌入させることにより、装着した状態を示す。吸盤６２を用いて前記吸着部材６０を、滑らかな平面に吸着させると、前記タブ４０を介して、前記携帯用容器２を吊下げることができる。
【００２４】
図６は図５の状態の携帯用容器２を、ディスプレイ７０表面の滑らかな平面に吸着することにより吊下げた状態を示す。これにより、コンピューターで作業中に、使用者は芳香によりリラックス感を得ることができ、画面に汚れを発見したときはすぐにその汚れを拭い去ることができて、作業の能率が上がるという効果がある。
【００２５】
以上の実施例において、芳香剤、防黴剤、消臭剤、或いは殺虫剤や虫忌避剤であって、昇華性の高い固体であるものや、揮発性を有する液体であるものを吸収させたシートなどを、本考案に係る携帯用容器に収納することで、香り付け、黴防止、消臭、殺虫、虫除け等の効果を発揮させることができるという利点がある。
【００２６】
以上の構成によれば、本考案に係る携帯用容器により、芳香等の効果を有する物質を収納し、かつ、携帯用通信機器の画面の汚れをとることができる携帯用容器を提供することができる。
【００２７】
なお、本考案は上述した実施の形態で説明した構造には限定されず、各部の形状、構造等を適宜変形、変更し得ることはいうまでもない。
【００２８】
例えば、携帯用容器の形状は、実施例に示した円柱形のみならず、様々な形状とし、デザインを活かした構成とすることができる。
【００２９】
また、クリーナー面に用いる布状部材に、イラストなどを印刷し、模様の面でも様々なデザインを提供するとこができる。クリーナー面に用いる布状部材は、使用により摩耗、劣化するので、張り替え可能にすることにより、クリーナー面を適宜新たに交換して、性能を維持するとともに、デザインを楽しむことができる。
【００３０】
さらに、必要以上の蒸散を防ぐために、小型電池と発熱手段を設け、常温では蒸散しないが、やや温度を上げると蒸散を開始する成分を浸透させた吸収シートを用いることもできる。
【産業上の利用可能性】
【００３１】
本考案の携帯用容器は、主として携帯用通信機器の画面クリーナーとして用いられるものではあるが、衣服の埃取りなどにも使用することができる。クリーナー用の布状部材を、複数の用途のものと組み合わせることにより、必要に応じて交換により機能を変更することができる。これらもまた本考案の権利範囲である。
【符号の説明】
【００３２】
１      クリーナー付芳香剤容器
１０    蓋部
１１    通気口
１２    蓋部外側側面
１３    蓋部内側側面
２０    収納部
２１    係止爪
２２    収納部外側側面
２３    クリーナー面
３０    液体吸収シート
４０    タブ
４０    孔部
５０    ストラップ
５１    ストリング
６０    吸着部材
６１    係止部
６２    吸盤
７０    ディスプレイ
【図１】
0003205892.tif 000003
【図２】
0003205892.tif 000004
【図３】
0003205892.tif 000005
【図４】
0003205892.tif 000006
【図５】
0003205892.tif 000007
【図６】
0003205892.tif 000008